(57)【要約】【課題】従来の似顔絵を描く方法では、顔を構成するそれぞれの要素をそれぞれの要素の図案として、眉の要素は眉の図案として、目の要素は目の図案として、鼻の要素は鼻の図案として、口の要素は口の図案として、耳の要素は耳の図案として似顔絵が描かれているので、似顔絵を観ておめでたいことを、視覚情報から認識できないことが少なからずあった。そこで、本発明は、似顔絵を観た視覚情報から、おめでたいことを認識できる似顔絵を描く方法の提供を目的とする。【解決手段】請求項１に記載の似顔絵を描く方法は、顔を構成するそれぞれの要素に松の図案または竹の図案または梅の図案を用いて描いて、尚且つ似顔絵全体で松の図案と竹の図案と梅の図案とが含まれている。請求項２に記載の似顔絵を描く方法は、日本語または外国語の表記で、松と竹と梅との図案が、おめでたいことを表している理由を文章で、請求項１に記載の方法で描いた似顔絵に書き添えている。【選択図】図４
2015150811.tif 000002
【特許請求の範囲】
【請求項１】
顔を構成するそれぞれの要素に松の図案または竹の図案または梅の図案を用いて描いて、尚且つ似顔絵全体で松の図案と竹の図案と梅の図案とが含まれていることを特徴とする、似顔絵を描く方法。
【請求項２】
日本語または外国語の表記で、松と竹と梅との図案が、おめでたいことを表している理由を文章で書き添えることを特徴とする請求項１の似顔絵を描く方法。
【発明の詳細な説明】
【技術分野】
【０００１】
本発明は、似顔絵を観た視覚情報から、おめでたいことを認識できる似顔絵を描く方法に関するものである。
【背景技術】
【０００２】
従来の似顔絵を描く方法は、顔を構成するそれぞれの要素をそれぞれの要素の図案として、似顔絵を描いていた。また結婚式会場、記念日などの、おめでたいことがある時に似顔絵を描くことが多くある。
【先行技術文献】
【特許文献】
【０００３】
【特許文献１】特開２００２−２４５４７８号公報
【発明の概要】
【発明が解決しようとする課題】
【０００４】
従来の似顔絵を描く方法では、顔を構成するそれぞれの要素をそれぞれの要素の図案として、眉の要素は眉の図案として、目の要素は目の図案として、鼻の要素は鼻の図案として、口の要素は口の図案として、耳の要素は耳の図案として似顔絵が描かれているので、似顔絵を観ておめでたいことを、視覚情報から認識できないことが少なからずあった。
【０００５】
そこで、本発明は、似顔絵を観た視覚情報から、おめでたいことを認識できる似顔絵を描く方法の提供を目的とする。
【課題を解決するための手段】
【０００６】
請求項１に記載の似顔絵を描く方法は、顔を構成するそれぞれの要素に松の図案または竹の図案または梅の図案を用いて描いて、尚且つ似顔絵全体で松の図案と竹の図案と梅の図案とが含まれている。
【０００７】
請求項２に記載の似顔絵を描く方法は、日本語または外国語の表記で、松と竹と梅との図案が、おめでたいことを表している理由を文章で、請求項１に記載の方法で描いた似顔絵に書き添えている。
【発明の効果】
【０００８】
請求項１に記載の似顔絵を描く方法で描いた似顔絵は、顔を構成するそれぞれの要素に松の図案または竹の図案または梅の図案を用いて描いているので、顔の似顔絵と言うことが認識できて、尚且つ古くから松と竹と梅との図案がおめでたいことであることを、世間一般に広く認知されていることから、似顔絵を観た視覚情報から、おめでたいことを認識できる効果がある。
【０００９】
請求項２に記載の似顔絵を描く方法は、松と竹と梅との図案が古くからおめでたいことの象徴であることを、知らない文化圏の人または知識として知らない人でも、日本語または外国語で松と竹と梅との図案が古くからおめでたいことの象徴である理由を、請求項１に記載の方法で描いた似顔絵に文章として書き添えてあるので、その内容からおめでたいことの理由が理解できることで似顔絵を観た視覚情報から、おめでたいことを認識できる効果がある。
【図面の簡単な説明】
【００１０】
【図１】請求項１に記載の似顔絵を描く方法で、女性の似顔絵を描いた正面図である。
【図２】請求項１に記載の似顔絵を描く方法で、男性の似顔絵を描いた正面図である。
【図３】請求項１に記載の似顔絵を描く方法で、眼鏡をした女性の似顔絵を描いた正面図である。
【図４】請求項２に記載の似顔絵を描く方法で、請求項１に記載の似顔絵を描く方法で女性の似顔絵を描いた絵に、請求項２に記載のことがらを日本語の表記で、松と竹と梅との図案が、おめでたいことを表している理由を文章で書き添えている。
【実施例】
【００１１】
請求項１に記載の似顔絵を描く方法を、実施例の図面に基づいて説明する。図１は女性の顔を構成するそれぞれの要素に松の図案または竹の図案または梅の図案を用いて描いて、尚且つ似顔絵全体で松の図案と竹の図案と梅の図案とが含まれている似顔絵を描いたもので、顔の輪郭の一部分と髪の一部分とを梅の木の図案１で描き、顔の輪郭の一部分と髪の一部分とを竹の木の図案２で描き、顔の輪郭の一部分を松の木の図案３で描き、右の眉毛を松の葉の図案４で描き、左の眉毛を松の葉の図案５で描き、右のまぶたを松の葉の図案６で描き、左のまぶたを松の葉の図案７で描き、右の眼を梅の実の図案８で描き、左の眼を梅の実の図案９で描き、右の耳を梅の葉の図案１０で描き、左の耳を梅の葉の図案１１で描き、右のほほを梅の実の図案１２で描き、左のほほを梅の実の図案１３で描き、鼻を梅の実の図案１４で描き、口を松の葉の図案１５で描いたものである。
【００１２】
請求項１に記載の似顔絵を描く方法を、実施例の図面に基づいて説明する。図２は男性の顔を構成するそれぞれの要素に松の図案または竹の図案または梅の図案を用いて描いて、尚且つ似顔絵全体で松の図案と竹の図案と梅の図案とが含まれている似顔絵を描いたもので、顔の輪郭の一部分と髪の一部分とを竹の木の図案１６で描き、顔の輪郭の一部分と髪の一部分とを梅の木の図案１７で描き、顔の輪郭の一部分を松の木の図案１８で描き、右の眉毛を松の葉の図案１９で描き、左の眉毛を松の葉の図案２０で描き、右の眼を梅の実の図案２１で描き、左の眼を梅の実の図案２２で描き、右の耳を梅の葉の図案２３で描き、左の耳を梅の葉の図案２４で描き、鼻を梅の実の図案２５で描き、口を松の葉の図案２６で描いたものである。
【００１３】
請求項１に記載の似顔絵を描く方法を、実施例の図面に基づいて説明する。図３は眼鏡をかけた女性の顔を構成するそれぞれの要素に松の図案または竹の図案または梅の図案を用いて描いて、尚且つ似顔絵全体で松の図案と竹の図案と梅の図案とが含まれている似顔絵を描いたもので、顔の輪郭の一部分と髪の一部分とを梅の木の図案２７で描き、顔の輪郭の一部分と髪の一部分とを竹の木の図案２８で描き、顔の輪郭の一部分を松の木の図案２９で描き、右の眉毛を松の葉の図案３０で描き、左の眉毛を松の葉の図案３１で描き、眼鏡の中央を梅の葉の図案３２で描き、眼鏡の右を松の葉の図案３３で描き、眼鏡の左を松の葉の図案３４で描き、右の眼を梅の実の図案３５で描き、左の眼を梅の実の図案３６で描き、右の耳を梅の葉の図案３７で描き、左の耳を梅の葉の図案３８で描き、右のほほを梅の実の図案３９で描き、左のほほを梅の実の図案４０で描き、鼻を梅の実の図案４１で描き、口を松の葉の図案４２で描いたものである。
【００１４】
請求項２に記載の似顔絵を描く方法を、実施例の図面に基づいて説明する。図４は女性の顔を、請求項１に記載の似顔絵を描く方法で似顔絵４３を描いたものに、請求項２に記載のことがらを日本語の表記で、松と竹と梅との図案が、おめでたいことを表している理由を文章にした言葉で、松はいかなる時も常緑で不老長寿、竹はしなやかで折れることがなく世を渡る、梅は寒中にあって花を咲かせ高貴な香りで気品と言う４４を書き添えたものである。
【符号の説明】
【００１５】
１  梅の木の図案
２  竹の木の図案
３  松の木の図案
４  松の葉の図案
５  松の葉の図案
６  松の葉の図案
７  松の葉の図案
８  梅の実の図案
９  梅の実の図案
１０  梅の葉の図案
１１  梅の葉の図案
１２  梅の実の図案
１３  梅の実の図案
１４  梅の実の図案
１５  松の葉の図案
１６  竹の木の図案
１７  梅の木の図案
１８  松の木の図案
１９  松の葉の図案
２０  松の葉の図案
２１  梅の実の図案
２２  梅の実の図案
２３  梅の葉の図案
２４  梅の葉の図案
２５  梅の実の図案
２６  松の葉の図案
２７  梅の木の図案
２８  竹の木の図案
２９  松の木の図案
３０  松の葉の図案
３１  松の葉の図案
３２  梅の葉の図案
３３  松の葉の図案
３４  松の葉の図案
３５  梅の実の図案
３６  梅の実の図案
３７  梅の葉の図案
３８  梅の葉の図案
３９  梅の実の図案
４０  梅の実の図案
４１  梅の実の図案
４２  松の葉の図案
４３  似顔絵
４４  松はいかなる時でも常緑で不老長寿、竹はしなやかで折れることがなく世を渡る、梅は寒中にあって花を咲かせ高貴な香りで気品、と言う文章
【図１】
2015150811.tif 000003
【図２】
2015150811.tif 000004
【図３】
2015150811.tif 000005
【図４】
2015150811.tif 000006